(57)【要約】      （修正有）【課題】容易に固形燃料に着火させることができ、また、立ち消えを防ぎながら、調理、焚火、照明を行うことができるストーブを提供する。【解決手段】吸気孔を有する火床と、火床の周縁から上方に伸延し、内部に収容した細長い固形燃料を立てた状態で保持可能である周壁５２とを有する燃焼炉３と、その上に載置した燃焼炉３を保持する炉保持部１２と、炉保持部１２を支持する脚部１１とを有するスタンド１とを備える。【選択図】図１
0003223566.tif 000002
【実用新案登録請求の範囲】
【請求項１】
吸気孔を有する火床と、前記火床の周縁から上方に伸延し、内部に収容した細長い固形燃料を立てた状態で保持可能である周壁とを有する燃焼炉と、
その上に載置した前記燃焼炉を保持する炉保持部と、前記炉保持部を支持する脚部と、を有するスタンドとを備える、ストーブ。
【請求項２】
前記炉保持部は、前記燃焼炉の下方に配置される炉保持アーム連結部と、一端部が前記炉保持アーム連結部に連結され、一端部と他端部との間の部分が前記火床の下面に沿って伸延する第１中間部と前記周壁の外側面に沿って伸延する第２中間部とを含む炉保持アームと、前記炉保持アーム連結部から下方に伸延する支持杆と、を有し、
前記脚部は、前記支持杆が任意の高さ位置に位置するように調整可能に前記支持杆を支持する、請求項１に記載のストーブ。
【請求項３】
前記炉保持アーム連結部は、前記燃焼炉の重心の下方に配置され、
前記スタンドは、３つ以上の前記炉保持アームを有し、３つ以上の前記炉保持アームは前記ストーブの重心を通り上下方向に延びる中心軸を中心とする周方向に等間隔に配置され、
前記脚部は、前記支持杆が連結される脚ベースと、一端部が前記脚ベースに連結され、前記ストーブの外側に向かって伸延する３以上の脚本体とを有し、３つ以上の前記脚本体は前記中心軸を中心とする周方向に等間隔に配置されている、請求項２に記載のストーブ。
【請求項４】
前記炉保持アームの一端部は、前記炉保持アーム連結部に対して着脱可能に連結され、
前記脚本体の一端部は、前記脚ベースに対して着脱可能に連結されている、請求項３に記載のストーブ。
【請求項５】
前記炉保持部に載置される灰受皿を更に有し、
前記燃焼炉は、前記火床の下面から下方に突出し、前記灰受皿に収容される炉脚を有する、請求項１乃至４の何れか１に記載のストーブ。
【請求項６】
前記周壁は、排気孔を有する、請求項１乃至５の何れか１に記載のストーブ。
【考案の詳細な説明】
【技術分野】
【０００１】
本考案は、ストーブに関する。
【背景技術】
【０００２】
従来からキャンプにおいて固形燃料を燃やす焚火スタンドなどのストーブが知られている（例えば特許文献１参照）。
【０００３】
この焚火スタンドは、適宜長さの金属パイプからなる下方脚管の上部を束ねて開閉自在に連結した下方脚部と、下方脚管に差込連結される所定数の上方脚管と、金網部の隅部に上方脚管の開口端に挿入連結する連結部を設けた火床体とを備えている。これによって全体を棒状に纏めることでコンパクト収納を可能としている。
【先行技術文献】
【特許文献】
【０００４】
【特許文献１】実用新案登録第３２０７１８３号
【考案の概要】
【考案が解決しようとする課題】
【０００５】
しかし、特許文献１に記載の焚火スタンドは、薪等の固形燃料が湿り気を含むときに、固形燃料に着火させにくかったり、立ち消えすることがあった。
【課題を解決するための手段】
【０００６】
上記課題を解決するため、本考案のある態様に係るストーブは、吸気孔を有する火床と、前記火床の周縁から上方に伸延し、内部に収容した細長い固形燃料を立てた状態で保持可能である周壁とを有する燃焼炉と、その上に載置した前記燃焼炉を保持する炉保持部と、前記炉保持部を支持する脚部と、を有するスタンドとを備える。
【０００７】
この構成によれば、燃焼炉の煙突効果によって、薪等の固形燃料が湿り気を含むなど燃えにくい状態にあるときにおいても、容易に固形燃料に着火させることができ、また、立ち消えを防ぎながら、調理、焚火、照明を行うことができる。更には、横風による灰の拡散を防止することができる。
【０００８】
前記炉保持部は、前記燃焼炉の下方に配置される炉保持アーム連結部と、一端部が前記炉保持アーム連結部に連結され、一端部と他端部との間の部分が前記火床の下面に沿って伸延する第１中間部と前記周壁の外側面に沿って伸延する第２中間部とを含む炉保持アームと、前記炉保持アーム連結部から下方に伸延する支持杆と、を有し、前記脚部は、前記支持杆が任意の高さ位置に位置するように調整可能に前記支持杆を支持してもよい。
【０００９】
この構成によれば、例えば燃焼炉の上に鍋等の重量物を載せるときは燃焼炉を低く位置させて、重心を下げることができ、これによってストーブを安定させることができる。また、ストーブを焚火台や篝火台として用いるときは、燃焼炉を高く位置させることができ、これによって、燃焼炉の内部の視認を容易に行ったり、焚火が照らす範囲を広げたり、燃焼炉に薪や炭などの燃料の投入を容易に行うことができる。
【００１０】
また、燃焼炉を脚部から離すことができるので、脚部が燃焼炉内に流入する空気の流れを妨げることを防止することができる。
【００１１】
前記炉保持アーム連結部は、前記燃焼炉の重心の下方に配置され、前記スタンドは、３つ以上の前記炉保持アームを有し、３つ以上の前記炉保持アームは前記ストーブの重心を通り上下方向に延びる中心軸を中心とする周方向に等間隔に配置され、前記脚部は、前記支持杆が連結される脚ベースと、一端部が前記脚ベースに連結され、前記ストーブの外側に向かって伸延する３以上の脚本体とを有し、３つ以上の前記脚本体は前記中心軸を中心とする周方向に等間隔に配置されてもよい。
【００１２】
この構成によれば、ストーブの安定性を高めることができる。
【００１３】
前記炉保持アームの一端部は、前記炉保持アーム連結部に対して着脱可能に連結され、前記脚本体の一端部は、前記脚ベースに対して着脱可能に連結されてもよい。
【００１４】
この構成によれば、コンパクトに収納することができ、携帯に有利である。
【００１５】
前記炉保持部に載置される灰受皿を更に有し、前記燃焼炉は、前記火床の下面から下方に突出し、前記灰受皿に収容される炉脚を有してもよい。
【００１６】
この構成によれば、燃焼炉の吸気効率の低下を抑制しつつ、吸気孔から落下する灰の拡散を防止することができる。
【００１７】
前記周壁は、排気孔を有してもよい。
【００１８】
この構成によれば、燃焼炉の上に調理器具等を載置したときに、燃焼炉内の気流が妨げられることを防止することができる。また、この燃焼炉の上に調理器具等を載置したときに、使用者が排気孔を介して炉内の視認を容易に行うことができる。
【考案の効果】
【００１９】
本考案は、燃焼炉の煙突効果によって、容易に固形燃料に着火させることができ、また、立ち消えを防ぎながら、調理、焚火、照明を行うことができるという効果を奏する。
【図面の簡単な説明】
【００２０】
【図１】本考案の実施の形態に係るストーブの構成例を示す斜視図である。
【図２】図１のストーブの構成例を示す分解斜視図である。
【図３】図１のストーブの構成例を示す縦断面図である。
【考案を実施するための形態】
【００２１】
以下、実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００２２】
図１は、実施の形態に係るストーブ１００の構成例を示す斜視図であり、斜め上方から見た図である。図２は、ストーブ１００の構成例を示す分解斜視図であり、斜め下方から見た図である。図３は、ストーブ１００の構成例を示す縦断面図である。
【００２３】
図１に示すように、ストーブ１００は、屋外において、地面の上に置き、薪、炭などの固形燃料を燃焼させることによって、バーベキュー等の調理や、暖房器具、焚火を焚く照明具に用いることができる。ストーブ１００は、スタンド１と、灰受皿２と、燃焼炉３とを備える。これらスタンド１、灰受皿２及び燃焼炉３は、上下方向に延びる仮想の中心軸Ｃが伸延する方向に並ぶように配置される。この中心軸Ｃは、ストーブ１００の重心を通り上下方向に延びる。以下、この仮想の中心軸Ｃを単に中心軸Ｃということがあり、また中心軸Ｃを中心とする径方向外側を単に外側ということがある。
【００２４】
図１〜図３に示すように、スタンド１は、灰受皿２及び燃焼炉３を支持する３脚の台である。灰受皿２及び燃焼炉３は、スタンド１の上に置かれる。スタンド１は、脚部１１と、炉保持部１２とを含む。
【００２５】
脚部１１は、後述する炉保持部１２の支持杆１６が任意の高さ位置に位置するように調整可能に支持杆１６を支持する。脚部１１は、脚ベース１３と、３つの脚本体１４とを含む。
【００２６】
脚ベース１３は、ストーブ１００を組み立てた状態において、中心軸Ｃ上に配置される基部２０と、基部２０の周縁からストーブ１００の外側に突出するように形成された３つの突出部２１を有する。突出部２１は、脚部１１が連結される部分である。ストーブ１００を組み立てた状態において、３つの突出部２１は、中心軸Ｃを中心とする周方向に等間隔に並ぶように配置されている。これら３つの突出部２１は、それぞれ斜め上方に傾斜するように、基部２０と突出部２１との境界部分で折り曲げられ、突出部２１の下面はストーブ１００の外側斜め下方を向いている。そして、突出部２１には、図３に示すように、雌螺子孔２５が設けられている。雌螺子孔２５の軸線は外側斜め下方に向かって伸延している。本実施の形態においては、突出部２１に円形の孔を形成し、この孔と同軸にナットを溶接することによって、突出部２１に雌螺子孔２５を形成している。
【００２７】
そして、基部２０の中央部には孔が形成され、基部２０の上面に、この孔と同軸に円筒形の筒部２２が取り付けられている。これによって、脚ベース１３には、脚ベース１３を上下方向に貫通する支持杆挿通孔２４が形成されている。この支持杆挿通孔２４は、後述する支持杆１６が挿通され、連結される孔である。
【００２８】
また、筒部２２には、周壁に雌螺子孔２７が形成されている。雌螺子孔２７は、その軸線が支持杆挿通孔２４の中心軸と直交するように配置されている。そして、雌螺子孔２７には、蝶ボルトが螺合されている。この蝶ボルトが固定部２３であり、ボルトを締め付ける作業及び緩める作業を工具を用いることなく行えるようになっている。そして、蝶ボルトを締め付けることによって、その先端部が支持杆挿通孔２４の内部に進出するように構成されている。
【００２９】
脚本体１４は、丸棒であり、図３に示すように、一端部（上端部）に雄螺子が形成され、脚ベース１３の雌螺子孔２５に螺合させることができる雄螺子部３１を有する。この雄螺子部３１には蝶ナットが螺合されている。この蝶ナットが補助締結具３２であり、ナットを締め付ける作業及び緩める作業を工具を用いることなく行えるようになっている。
【００３０】
そして、雄螺子部３１を雌螺子孔２５に螺合させることによって、脚本体１４を脚ベース１３に取り付けることができる。更に、補助締結具３２を脚ベース１３に向かって締め付けることによって、雄螺子部３１と雌螺子孔２５との間の摩擦力を増強することができ、これによって、脚本体１４が雌螺子孔２５に対して容易に回転することを防止することができる。このように、脚本体１４の一端部は、脚ベース１３に対して着脱可能に連結される。
【００３１】
そして、脚本体１４を脚ベース１３に取り付けることによって、平面視において、脚本体１４は、ストーブ１００の外側に向かって伸延して位置する。また、脚本体１４の他端部（下端部）は折り曲げられ、脚本体１４を脚ベース１３に取り付けて、スタンド１を地面に置いたときに、脚本体１４の他端部が地面に沿って延び、スタンド１の安定性を更に高めている。そして、３つの脚本体１４を脚ベース１３に取り付けると、３つの脚本体１４は、中心軸Ｃを中心とする周方向に等間隔に配置され、また径方向外側に伸延するように配置される。
【００３２】
炉保持部１２は、脚部１１に対して任意の高さ位置に位置させれるように脚部１１に支持されている。炉保持部１２は、炉保持枠１５と、支持杆１６とを含む。
【００３３】
炉保持枠１５は、その上に燃焼炉３を置くことができる。炉保持枠１５は、炉保持アーム連結部４１と、３つの炉保持アーム４６とを含む。炉保持アーム連結部４１は、燃焼炉３の下方に配置される。炉保持アーム連結部４１を燃焼炉３の重心の下方に配置され、これによって、ストーブ１００の安定性を高めている。炉保持アーム連結部４１は、円板状の第１片４２と、第１片４２の下に位置させた円板状の第２片４３とが溶接によって固定されている。第１片４２と第２片４３とは同軸に配置されている。第１片４２は、中心軸Ｃを中心とする周方向に等間隔に３つの差込溝４４が形成されている。各差込溝４４は、第１片４２の周縁から中心軸Ｃに向かって第１片４２を切り欠いて形成されている。差込溝４４は、炉保持アーム４６の後述する第１中間部４６ｃを差し込むことができるように形成され、差し込んだ炉保持アーム４６が中心軸Ｃから外側に向かう姿勢をとるように保持する。第２片４３は、第１片４２よりも径寸法が小さく形成されている。第２片４３は、中心軸Ｃを中心とする周方向に等間隔に３つの差込孔４５が形成されている。差込孔４５は、差込溝４４の第１片４２の中心軸側の端部の下方に形成され、差込溝４４と連続している。差込孔４５は、炉保持アーム４６の一端部４６ａを差し込むことができるように形成され、差し込んだ一端部４６ａが水平方向に動かないように炉保持アーム４６を保持する。これら差込溝４４及び差込孔４５が、炉保持アーム取付部を構成する。
【００３４】
炉保持アーム４６は、クランク状に折り曲げられた棒状体である。ストーブ１００を組み立てた状態において、一端部４６ａから他端部４６ｂに向かう方向において、炉保持アーム４６は、一端部４６ａが差込孔４５に差し込まれ、上方に延びている。そして、差込溝４４の上方において、一端部４６ａの他端部４６ｂ側の部分は略直角に折り曲げられ、この部分よりも先の部分は中心軸を中心とする径方向外側に延びている。この部分が第１中間部４６ｃであり、ストーブ１００を組み立てた状態において、火床５１の下面に沿って伸延する。そして、第１中間部４６ｃの基端部は差込溝４４に差し込まれている。これによって、差込溝４４は、差し込んだ炉保持アーム４６が中心軸Ｃから外側に向かう姿勢をとるように炉保持アーム４６を保持している。また、炉保持アーム４６の端部を上方から差込溝４４及び差込孔４５に差し込むことによって、炉保持アーム４６を炉保持アーム連結部４１に対して連結することができるので、着脱を容易に行うことができる。
【００３５】
そして、第１中間部４６ｃの他端部４６ｂ側の部分は略直角に折り曲げられ、この部分よりも先の部分は上方に延びている。この部分が第２中間部４６ｄであり、ストーブ１００を組み立てた状態において、周壁５２の外側面に沿って伸延する。このように、炉保持アーム４６は、一端部４６ａが炉保持アーム連結部４１に連結され、一端部４６ａと他端部４６ｂとの間の部分が第１中間部４６ｃと第２中間部４６ｄとを含む。そして、３つの炉保持アーム４６は、ストーブ１００を組み立てた状態において、中心軸Ｃを中心とする周方向に等間隔に配置される。
【００３６】
支持杆１６は、例えば丸棒状に形成され、上端が炉保持アーム連結部４１に溶接によって固定され、この炉保持アーム連結部４１から下方に伸延する。また、ストーブ１００を組み立てた状態において、支持杆１６は、中心軸Ｃ上に配置される。また、ストーブ１００を組み立てた状態において、支持杆１６は、支持杆挿通孔２４に差し込まれ、固定部２３の蝶ナットによって、支持杆１６が固定されている。すなわち、固定部２３の蝶ナットを締め付けることによって、その先端部が支持杆挿通孔２４の内部に進出し、支持杆１６を側面を押圧し、支持杆挿通孔２４の内周面に支持杆１６を押し付ける。これによって、支持杆１６の上下動が規制される。また、固定部２３を緩めることによって、再び支持杆１６を上下に動かすことができるので、炉保持部１２の高さ位置を容易に変更することができる。
【００３７】
灰受皿２は、吸気孔５４から落下する灰等を受け止める円形の浅皿であり、第１中間部４６ｃに載置される。灰受皿２の周縁は、上方に立ち上がるように形成されている。
【００３８】
燃焼炉３は、内部に薪、炭等の固形燃料を燃焼させるための燃焼空間を有する炉であり、ストーブ１００を組み立てた状態において、灰受皿２の上に載置され、灰受皿２と共に炉保持枠１５に保持される。燃焼炉３は、重心が中心軸Ｃ上に位置するように炉保持枠１５に保持される。燃焼炉３は、有底の縦長の筒状体であり、複数の吸気孔５４を有する円形の火床５１と、火床５１の周縁から上方に伸延する円筒形の周壁５２とを有する。周壁５２は、内部に収容した細長い固形燃料を立てた状態で保持することができるように、その高さ寸法が規定されている。火床５１には同心の環状のリブが複数形成され、これによって、熱による変形を抑制している。複数の吸気孔５４は、火床５１に散りばめられて形成されている。周壁５２の上縁によって囲まれる領域は開放され、開口部５６を形成しており、開口部５６を介して、燃焼空間に固形燃料を投入したり、燃焼空間の状態を視認したりすることができる。また、燃焼空間で燃焼させた固形燃料の炎で周囲を照らすことができる。そして、火床５１の上で固形燃料を燃焼させると、煙突効果によって吸気孔５４から空気が取り込まれ、効果的に固形燃料を燃焼させることができる。周壁５２の上端は水平に延び、燃焼炉３の上に鍋等の調理器具等を載置して加熱料理を行うことができる。また、周壁５２には、環状のリブが複数形成され、これによって、熱による変形を抑制している。更に、周壁５２の高さ寸法は、火床５１の径寸法よりも大きく形成され、燃焼炉３の煙突効果を高めている。火床５１は、周壁５２の下縁よりも一段高く配置されている。また、周壁５２は、上方に向かうに従って径寸法が大きくなるように形成されている。これによって、開口部５６への燃料の投入を容易に行うことができる。
【００３９】
そして、燃焼炉３は、火床５１の下面から下方に突出するように設けられた３つの炉脚５３を有する。炉脚５３は、火床５１の下面の周縁に固定されている。また、３つの炉脚５３は、中心軸Ｃを中心とする周方向に等間隔に設けられている。３つの炉脚５３は、燃焼炉３を灰受皿２に載置したときに灰受皿２の周縁の内側に収容されるように配置されている。これによって、燃焼炉３の移動は灰受皿２の周縁と炉脚５３とが干渉することによって規制され、燃焼炉３が灰受皿２から外れて、吸気孔５４から落下した灰が灰受皿２から外れてしまうことを防止することができる。そして、炉脚５３は、灰受皿２から火床５１を離して、吸気孔５４が塞がれないようにするスペーサーとして働く。
【００４０】
なお、燃焼炉３は、ストーブ１００から取り外して、地面に置いて使用することもでき、このような場合においても、炉脚５３は、地表面から火床５１を離すスペーサーとして働く。
【００４１】
更に、周壁５２の上部には円形の複数の排気孔５５が形成されている。この複数の排気孔５５は、燃焼炉３の周方向に一列に並ぶように配置されている。
【００４２】
（使用例）
ストーブ１００を使用するときは、炉保持アーム４６及び脚本体１４をそれぞれ炉保持アーム連結部４１及び脚ベース１３に取り付け、スタンド１を組み立てる。そして、固定部２３を一旦緩めて、炉保持部１２及び炉保持部１２に保持されている燃焼炉３の高さ位置を変更する。そして、炉保持部１２を任意の高さ位置に位置させた後、固定部２３を再度締め付けることによって、炉保持部１２及び燃焼炉３をその高さ位置に固定する。例えば、燃焼炉３の上に鍋等の重量物を載せるときは炉保持部１２を低く位置させて、重心を下げることができ、これによってストーブ１００を安定させることができる。また、ストーブ１００を焚火台や篝火台として用いるときは、炉保持部１２を高く位置させることができ、これによって、燃焼炉３の内部の視認を容易に行ったり、焚火が照らす範囲を広げたり、燃焼炉３に薪や炭などの燃料の投入を容易に行うことができる。また、燃焼炉３を脚部１１から離すことができるので、脚部１１が燃焼炉３内に流入する空気の流れを妨げることを防止することができる。
【００４３】
また、炉保持アーム連結部４１は、燃焼炉３の重心の下方に配置され、中心軸Ｃを中心とする周方向に等間隔に３つの炉保持アーム４６が配置され、中心軸Ｃを中心とする周方向に等間隔に３つの脚本体１４が配置されているので、ストーブ１００の安定性を高めることができる。なお、４以上の炉保持アーム４６及び脚本体１４を備えていてもよい。
【００４４】
そして、炉保持アーム４６の上に灰受皿２を載せ、灰受皿２の上に更に燃焼炉３を載せる。なお、炉脚５３によって、灰受皿２と火床５１とを離して、吸気孔５４が塞がれることを避けることができ、燃焼炉３の吸気効率の低下を抑制することができる。
【００４５】
そして、例えば、燃焼炉３の火床５１の上に着火剤を載せて着火し、薪や炭などの固形燃料を燃焼炉３の内部の着火剤の火の周辺に置く。このとき、内部に細長い固形燃料を立てた状態で置くことにより、燃焼ガスの流れが妨げられることを避けることができる。そして、着火剤の燃焼で生じた高温のガスは上方に移動し、これによって燃焼炉３の下部の気圧が低下するため、外部の酸素の多い空気が吸気孔５４を通って燃焼炉３の内部に流入する（煙突効果）。これによって、固形燃料が湿り気を含むなど燃えにくい状態にあるときにおいても、容易に固形燃料に着火させることができる。また、立ち消えを防ぎながら、調理、焚火、照明を行うことができる。そして、燃焼炉３は、炉保持アーム４６が燃焼炉３を保持するように構成され、吸気孔５４に向かう空気の流れに与える影響を限定することができるので、燃焼炉３の吸気効率を向上させることができる。更には、燃焼炉３の周壁５２が横風を防ぎ、これによって灰の拡散を防止することができる。
【００４６】
そして、ストーブ１００を用いて調理を行うときは、火勢が十分に強くなったのち、燃焼炉３の上に調理器具等を載置する。このとき、開口部５６が閉塞されるが、周壁５２には排気孔５５が形成されているため、燃焼ガスを排気孔５５から外部に放出することができ、燃焼炉３内の気流が妨げられることを防止することができる。また、この燃焼炉３の上に調理器具等を載置したときに、使用者が排気孔５５を介して炉内の視認を容易に行うことができる。更に、排気孔５５に火ばさみを差し込み、燃焼炉３を持ち上げることができる。なお、燃焼炉３には、燃焼炉３を持ち上げるための取っ手を設けてもよい。
【００４７】
なお、燃焼炉３の下に灰受皿２が配置されているので、吸気孔５４から落下する灰が地面やスタンド１に落下して、拡散することを防止することができる。
【００４８】
そして、ストーブ１００の使用後は、炉保持アーム４６及び脚本体１４をそれぞれ炉保持アーム連結部４１及び脚ベース１３から取り外すことができる。そして、炉保持アーム４６及び脚本体１４を取り外した状態においては、中心軸Ｃを中心とする径方向への張り出しを抑えることができ、コンパクトに収納することができる。また、携帯に有利である。
【００４９】
上記説明から、当業者にとっては、本考案の多くの改良や他の実施の形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００５０】
１  スタンド
３  燃焼炉
１５  炉保持枠
２４  支持杆挿通孔
４１  炉保持アーム連結部
４６  炉保持アーム
５１  火床
５４  吸気孔
１００  ストーブ
【図１】
0003223566.tif 000003
【図２】
0003223566.tif 000004
【図３】
0003223566.tif 000005